(57)【特許請求の範囲】
【請求項１】
垂直方向に伸びるワイヤに沿って配される上部ワイヤグリッピング装置および下部ワイヤグリッピング装置と油圧ジャッキとからなり、前記上部および下部ワイヤグリッピング装置の各々は、前記ワイヤを貫通させるワイヤ貫通孔が形成された、それぞれ間隔をあけて配されたプレッシャープレート、アンカーブロック、リリースプレート、アンカーベースプレートと、前記アンカーブロックに対してシリンダ側が固定され、前記リリースプレートに対してピストン側が固定されたクランピングシリンダと、前記アンカーブロックの前記ワイヤ貫通孔に嵌め込まれ、前記プレッシャープレートの前記ワイヤ貫通孔の下端部にワイヤグリップ押し込み用スプリングを介して当接されるワイヤグリップと、前記プレッシャープレートと前記リリースプレートとの間に、前記アンカーブロックを貫通して固定された連結棒と、前記アンカーブロックと前記アンカーベースプレートとの間に、前記リリースプレートを貫通して固定されたスペーサブロックとを備え、前記油圧ジャッキは、前記下部ワイヤグリッピング装置の前記アンカーベースプレートと前記上部ワイヤグリッピング装置の前記アンカーベースプレートとの間に取り付けられているワイヤジャッキング装置において、
前記プレッシャープレートに押し下げ力を常時付与するプレッシャープレート押し下げ用スプリングが設けられ、前記プレッシャープレート押し下げ用スプリングの弾性力は、前記ワイヤグリップ押し込み用スプリングの弾性力より大きく、前記上部ワイヤグリッピング装置および前記下部ワイヤグリッピング装置の前記プレッシャープレートの上方に前記ワイヤをガイドするワイヤガイドが設けられ、前記プレッシャープレート押し下げ用スプリングは、前記プレッシャープレートと前記ワイヤガイドとの間の前記ワイヤの通路に取り付けられていることを特徴とするワイヤジャッキング装置。
【発明の詳細な説明】
【技術分野】
【０００１】
この発明は、ワイヤジャッキング装置、特に、ワイヤに作用する引き抜き荷重によりワイヤが引き抜かれてしまうことを確実に防止することができるワイヤジャッキング装置に関するものである。
【背景技術】
【０００２】
従来、重量物の吊り揚げ、吊り降しを行うワイヤジャッキング装置として、特許文献１（特許第２８２８４３０号公報）に開示されるものがある。以下、このワイヤジャッキング装置を従来ワイヤジャッキング装置といい、図面を参照しながら説明する。
【０００３】
図２は、従来ワイヤジャッキング装置を構成するワイヤグリッピング装置を示す一部省略断面図、図３はプレッシャープレートを示す図であり、（ａ）は平面図であり、（ｂ）は（ａ）のＣ−Ｃ断面図、図４はワイヤグリップを示す斜視図、図５はワイヤグリップの作動態様を示す図であり、（ａ）はワイヤグリップが閉の状態を示す断面図、（ｂ）はワイヤグリップが開の状態を示す断面図、図６はアンカーブロックを示す図であり、（ａ）は平面図、（ｂ）は（ａ）のＡ−Ａ断面図、図７はリリースプレートを示す図であり、（ａ）は平面図、（ｂ）は（ａ）のＢ−Ｂ断面図、図８はアンカーベースプレートを示す図であり、（ａ）は平面図、（ｂ）は（ａ）のＤ−Ｄ断面図、図９は従来ワイヤジャッキング装置を示す断面図である。
【０００４】
先ず、ワイヤグリッピング装置について説明する。
【０００５】
図２において、１は、ワイヤグリッピング装置、２は、プレッシャープレート、３は、アンカーブロック、４は、リリースプレート、５は、アンカーベースプレート、６は、クランピングシリンダ、７は、ワイヤグリップ、８は、連結棒、９は、スペーサブロックである。
【０００６】
プレッシャープレート２、アンカーブロック３、リリースプレート４、アンカーベースプレート５は、垂直方向に複数条のＰＣ鋼より線からなるワイヤ１０（図２には、その中の一条を示している。）を貫通させる複数個のワイヤ貫通孔２ａ、３ａ、４ａ、５ａを有している。
【０００７】
クランピングシリンダ６は、アンカーブロック３にシリンダ１１側が固定され、リリースプレート４にピストン１２側が固定されている。ピストン１２には、クランピングシリンダ用スプリング１３が取り付けられている。クランピングシリンダ用スプリング１３は、以下の機能を有している。
【０００８】
クランピングシリンダ６は、この例では、３個設置されていて、これらのシリンダを同期して操作することにより、リリースプレート４をプレッシャープレート２と共に均一に昇降させるが、クランピングシリンダ用スプリング１３を設けることにより、特に、下降操作がより確実に行える。
【０００９】
ワイヤグリップ７は、アンカーブロック３のテ−パ状ワイヤ貫通孔３ａ内に上方から嵌まり込む。ワイヤグリップ７の頭部とプレッシャープレート２のワイヤ貫通孔２ａとの間には、ワイヤ１０を貫通させた状態でスプリング座１７を介してワイヤグリップ押し込み用スプリング１４が取り付けられ、ワイヤグリップ押し込み用スプリング１４によってワイヤグリップ７がアンカーブロック３側に押り付けられるようになっている。ワイヤグリップ押し込み用スプリング１４は、以下の機能を有している。
【００１０】
ワイヤグリップ押し込み用スプリング１４の弾性力により全てのワイヤグリップ７がアンカーブロック３のワイヤ貫通孔３ａ内に均等に入り込むので、全てのワイヤ１０を常に均一に把持することができ、この結果、全てのワイヤ１０に均一に引張力が作用する。ワイヤグリップ押し込み用スプリング１４を設けないと、特定のワイヤグリップ７が先にワイヤ貫通孔３ａ内に入り込んだ場合、先にワイヤ貫通孔３ａ内に入り込んだワイヤグリップ７により把持されたワイヤ１０に引っ張り荷重が集中して、ワイヤ１０が切断するおそれがある。
【００１１】
連結棒８は、アンカーブロック３の貫通孔３ｂを貫通し、プレッシャープレート２とリリースプレート４とを連結している。これによって、プレッシャープレート２とリリースプレート４とが一体的に上下移動する。
【００１２】
スペーサブロック９は、リリースプレート４の貫通孔４ｂを貫通し、アンカーブロック３とアンカーベースプレート５とを間隔をあけて連結している。これによって、クランピングシリンダ６のピストン１２の伸縮に伴って、リリースプレート４とプレッシャープレート２とが一体的に上下移動する。
【００１３】
１５は、油圧ジャッキであり、アンカーベースプレート５に取り付けられている。
【００１４】
２３は、プレッシャープレート２の上方に、支柱２４により取り付けられたワイヤガイドである。
【００１５】
次に、図３から図８を参照しながら、プレッシャープレート２、ワイヤグリップ７、アンカーブロック３、リリースプレート４、アンカーベースプレート５についてさらに説明する。
【００１６】
図３（ａ）、（ｂ）に示すように、プレッシャープレート２は、円盤状で、ワイヤ貫通孔２ａが中心部に１個とそれを囲む一点鎖線で示す同心円上の位置に６個設けられている。プレッシャープレート２のワイヤ貫通孔２ａの下端部の径口は広がっていて、この部分にワイヤ１０の周囲に取り付けられたワイヤグリップ押し込み用スプリング１４の上端部が入り込むようになっている。
【００１７】
プレッシャープレート２には、ワイヤ貫通孔２ａの外側の同心円上に３本の連結棒８をボルト・ナットによって固定するための貫通孔２ｄが形成されている。プレッシャープレート２には、この上方に取り付けられるワイヤガイド２３をアンカーブロック３に支持する支柱２４を貫通させる貫通孔（ここでは３個）２ｃが形成されている。
【００１８】
図４に示すように、ワイヤグリップ７は、３個のジョウ７ａとジョウ７ａの上部周方向に設けた溝７ｂに嵌込んだゴム製のＯリング１６とから構成されている。Ｏリング１６は、３個のジョウ７ａが使用時に極端に偏らないように機能を有している。
【００１９】
ワイヤグリップ７は、上広テーパ状に形成され、中心部には、ワイヤ１０が貫通する貫通孔７ｃが形成されている。貫通孔７ｃの壁は、ワイヤ１０を把持し易いようにネジ７ｄが形成されている。
【００２０】
図５（ａ）に示すように、ワイヤグリップ７は、プレッシャープレート２を押し下げることによって、アンカーブロック３のテ−パ状ワイヤ貫通孔３ａに上方から完全に嵌まり込んで閉の状態になり、ワイヤ１０を完全に把持する。この状態で、ワイヤグリップ７の下部は、アンカーブロック３のワイヤ貫通孔３ａから突出する。
【００２１】
一方、図５（ｂ）に示すように、リリースプレート４を引き上げると、リリースプレート４がワイヤ貫通孔３ａから突出しているワイヤグリップ７の下部が持ち上げられる結果、ワイヤグリップ７とワイヤ貫通孔３ａとの間に隙間を生じて、ワイヤグリップ７が開の状態になり、ワイヤ１０の把持が解除される。
【００２２】
このように、リリースプレート４にピストン１２側が固定されたクランピングシリンダ６を駆動させて、連結棒８により連結されたプレッシャープレート２とリリースプレート４とを一体的に上下に移動させ、その上下移動によってプレッシャープレート２およびリリースプレート４に強制的な機能を発揮させて、ワイヤグリップ７の開閉が行われる。
【００２３】
図６（ａ）、（ｂ）に示すように、アンカーブロック３は、プレッシャープレート２のワイヤ貫通孔２ａに対応した中心位置に１個の貫通孔３ａが形成され、他の６個の貫通孔３ａが一点鎖線で示す同心円上に形成されている。貫通孔３ａは、上広テーパを呈し、ワイヤグリップ７が上方から嵌まり込むようになっている。
【００２４】
貫通孔３ａの外側の同心円上には、連結棒８を貫通させる貫通孔３ｂが３個設けられている。また、アンカーブロック３の平面は、円形形状部分を基盤としてその周面の３方に突出させた矩形形状部分を有し、３個のクランピングシリンダ６の取り付けを容易にしている。矩形形状部分の位置には、下面にスペーサブロック９を固定するボルト・ナットを挿入する貫通孔３ｃが形成されている。また、矩形形状の位置には、クランピングシリンダ６を支持するサポートブロック３ｆを固定するボルト孔３ｄが形成されている。
【００２５】
図７（ａ）、（ｂ）に示すように、リリースプレート４は、プレッシャープレート２、アンカーブロック３のワイヤ貫通孔２ａ、３ａに対応した中心位置に１個の貫通孔４ａが形成され、他の６個の貫通孔４ａが一点鎖線で示す同心円上に形成されている。また、アンカーブロック３を貫通する連結棒８のボルト孔４ｃと、クランピングシリンダ６のピストン１２側を固定するボルトのボルト孔４ｄが形成されている。また、リリースプレート４には、アンカーブロック３に上端が固定されたスペーサブロック９を貫通させる貫通孔４ｂが３個設けられている。
【００２６】
図８（ａ）、（ｂ）に示すように、アンカーベースプレート５は、プレッシャープレート２、アンカーブロック３、リリースプレート４の貫通孔２ａ、３ａ、４ａに対応した中心位置に１個の貫通孔５ａが形成され、他の６個の貫通孔５ａが一点鎖線で示す同心円上に形成されている。また、アンカーベースプレート５には、アンカーブロック３の下面に上端が固定され、リリースプレート４を貫通したスペーサブロック９の下端を固定するボルトのボルト孔５ｂが３個設けられている。さらに、アンカーベースプレート５には、油圧ジャッキ１５を固定するためのボルトのボルト孔５ｃが形成されている。
【００２７】
次に、従来ワイヤジャッキング装置について説明する。
【００２８】
図９に示すように、従来ワイヤジャッキング装置は、上述したワイヤグリッピング装置１をワイヤ１０に沿って２個、間隔をあけて設けたものから構成されている。下部ワイヤグリッピング装置１ｂのアンカーベースプレート５は、油圧ジャッキ１５のシリンダ２１側に固定され、上部ワイヤグリッピング装置１ａのアンカーベースプレート５は、油圧ジャッキ１５のピストン２０側に固定されている。油圧ジャッキ１５は、対称位置に３個設置され、油圧系統により同期して駆動される。
【００２９】
上述したように、上部および下部ワイヤグリッピング装置１ａ、１ｂの各々のプレッシャープレート２とリリースプレート４とは、アンカーブロック３を貫通した複数本の連結棒８により一体的に上下動するので、クランピングシリンダ６により、プレッシャープレート２とリリースプレート４とを同時に上下動させて、複数個のワイヤグリップ７を強制的にアンカーブロック３の貫通孔３ａに嵌め込んだり、緩めたりすることによって、各ワイヤ１０の把持または解放を同時に行うことができる。そして、この操作を上部および下部ワイヤグリッピング装置１ａ、１ｂについて交互に行い、ワイヤ１０を把持した上部ワイヤグリッピング装置１ａを油圧ジャッキ１５により昇降させれば、ワイヤ１０の先端に連結した重量物２２の吊り揚げ、吊り降しが行える。
【００３０】
なお、重量物２２の吊り揚げによって、上部ワイヤグリッピング装置１ａの上方からはワイヤ１０が吊り揚げ高さに応じて繰り出される。
【先行技術文献】
【特許文献】
【００３１】
【特許文献１】特許第２８２８４３０号公報
【発明の概要】
【発明が解決しようとする課題】
【００３２】
上述のように、従来ワイヤジャッキング装置によれば、重量物２２の吊り揚げ、吊り降しが確実に行えるが、以下のような問題があった。
【００３３】
例えば、重量物２２がワイヤ１０に連結されていない場合には、上部ワイヤグリッピング装置１ａから繰り出されたワイヤ１０自身の重量によって、ワイヤ１０が従来ワイヤジャッキング装置から抜け出るおそれがあった。すなわち、図５（ａ）の状態において、ワイヤ１０にワイヤグリップ押し込み用スプリング１４の弾性力を超える上方への引き抜き力が作用すると、アンカーブロック３のワイヤ貫通孔３ａ内のワイヤグリップ７が緩んで、ワイヤ１０の上方への抜け出しを阻止する把持力がなくなりワイヤ１０が従来ワイヤジャッキング装置から上方に引き抜かれてしまうおそれがあった。
【００３４】
従って、この発明の目的は、従来ワイヤジャッキング装置において、ワイヤ１０にワイヤグリップ押し込み用スプリング１４の弾性力を超える上方への引き抜き力が作用しても、ワイヤ１０が従来ワイヤジャッキング装置から上方に引き抜かれてしまうおそれを確実に回避することができるワイヤジャッキング装置を提供することにある。
【課題を解決するための手段】
【００３５】
この発明は、上記目的を達成するためになされたものであって、下記を特徴とする。
【００３６】
請求項１に記載の発明は、垂直方向に伸びるワイヤに沿って配される上部ワイヤグリッピング装置および下部ワイヤグリッピング装置と油圧ジャッキとからなり、前記上部および下部ワイヤグリッピング装置の各々は、前記ワイヤを貫通させるワイヤ貫通孔が形成された、それぞれ間隔をあけて配されたプレッシャープレート、アンカーブロック、リリースプレート、アンカーベースプレートと、前記アンカーブロックに対してシリンダ側が固定され、前記リリースプレートに対してピストン側が固定されたクランピングシリンダと、前記アンカーブロックの前記ワイヤ貫通孔に嵌め込まれ、前記プレッシャープレートの前記ワイヤ貫通孔の下端部にワイヤグリップ押し込み用スプリングを介して当接されるワイヤグリップと、前記プレッシャープレートと前記リリースプレートとの間に、前記アンカーブロックを貫通して固定された連結棒と、前記アンカーブロックと前記アンカーベースプレートとの間に、前記リリースプレートを貫通して固定されたスペーサブロックとを備え、前記油圧ジャッキは、前記下部ワイヤグリッピング装置の前記アンカーベースプレートと前記上部ワイヤグリッピング装置の前記アンカーベースプレートとの間に取り付けられているワイヤジャッキング装置において、前記プレッシャープレートに押し下げ力を常時付与するプレッシャープレート押し下げ用スプリングが設けられ、前記プレッシャープレート押し下げ用スプリングの弾性力は、前記ワイヤグリップ押し込み用スプリングの弾性力より大きく、前記上部ワイヤグリッピング装置および前記下部ワイヤグリッピング装置の前記プレッシャープレートの上方に前記ワイヤをガイドするワイヤガイドが設けられ、前記プレッシャープレート押し下げ用スプリングは、前記プレッシャープレートと前記ワイヤガイドとの間の前記ワイヤの通路に取り付けられていることに特徴を有するものである。
【発明の効果】
【００３８】
この発明によれば、従来ワイヤジャッキング装置において、ワイヤにワイヤグリップ押し込み用スプリングの弾性力を超える上方への引き抜き力が作用しても、ワイヤが従来ワイヤジャッキング装置から上方に引き抜かれてしまうおそれを確実に回避することができる。
【図面の簡単な説明】
【００３９】
【図１】この発明のワイヤジャッキング装置を示す一部省略断面図である。
【図２】従来ワイヤジャッキング装置を構成するワイヤグリッピング装置を示す一部省略断面図である。
【図３】プレッシャープレートを示す図であり、（ａ）は、平面図であり、（ｂ）は、（ａ）のＣ−Ｃ断面図である。
【図４】ワイヤグリップを示す斜視図である。
【図５】ワイヤグリップの作動態様を示す図であり、（ａ）は、ワイヤグリップが閉の状態を示す断面図、（ｂ）は、ワイヤグリップが開の状態を示す断面図である。
【図６】アンカーブロックを示す図であり、（ａ）は、平面図、（ｂ）は、（ａ）のＡ−Ａ断面図である。
【図７】リリースプレートを示す図であり、（ａ）は、平面図、（ｂ）は、（ａ）のＢ−Ｂ断面図である。
【図８】アンカーベースプレートを示す図であり、（ａ）は、平面図、（ｂ）は、（ａ）のＤ−Ｄ断面図である。
【図９】従来ワイヤジャッキング装置を示す一部省略断面図である。
【発明を実施するための形態】
【００４０】
この発明のワイヤジャッキング装置の一実施態様を、図面を参照しながら説明する。
【００４１】
図１は、この発明のワイヤジャッキング装置を示す一部省略断面図である。なお、図１において、図２から図９に示す番号と同一番号は、同一物を示し、説明は省略する。
【００４２】
この発明のワイヤジャッキング装置は、図９に示される従来ワイヤジャッキング装置を構成する上部ワイヤグリッピング装置１ａおよび下部ワイヤグリッピング装置１ｂのプレッシャープレート２とワイヤガイド２３との間を貫通するワイヤ１０の通路に、プレッシャープレート押し下げ用スプリング２５を設けたものからなっている。
【００４３】
プレッシャープレート押し下げ用スプリング２５の弾性力は、ワイヤグリップ押し込み用スプリング１４の弾性力より大きい。これによって、プレッシャープレート２には、常時、押し下げ力が付与されるので、例えば、重量物２２がワイヤ１０に連結されていない場合において、上部ワイヤグリッピング装置１ａから繰り出されたワイヤ１０自身の重量によって、ワイヤ１０にこれを上方に引く抜き力が作用し、これによりアンカーブロック３のワイヤ貫通孔３ａ内のワイヤグリップ７が緩んで、ワイヤ１０の上方への抜け出しを阻止する把持力がなくなりワイヤ１０が上方に引き抜かれてしまうことを確実に回避することができる。
【００４４】
なお、クランピングシリンダ６を加圧してプレッシャープレート２を押し下げてもワイヤグリップ７の緩みを回避することはできるが、クランピングシリンダ６を操作する油圧回路には、どうしても油漏れの問題が避けられず、長時間、確実にプレッシャープレート２を押し下げておけないおそれがある。
【００４５】
プレッシャープレート押し下げ用スプリング２５を設けることによって、ワイヤグリップ７を緩ませる際のリリースプレート４の押し上げ力が増大するが、これはクランピングシリンダ６の操作によって問題なく行える。
【００４６】
プレッシャープレート押し下げ用スプリング２５の設置箇所は、プレッシャープレート２に押し下げ力を付与することができる箇所であれば、プレッシャープレート２とワイヤガイド２３との間を貫通するワイヤ１０の通路に限定されない。
【００４７】
以上のように、この発明によれば、プレッシャープレート２に押し下げ力を常時付与するプレッシャープレート押し下げ用スプリング２５を設けることによって、ワイヤ１０にワイヤグリップ押し込み用スプリング１４の弾性力を超える上方への引き抜き力が作用しても、ワイヤ１０がワイヤジャッキング装置から上方に引き抜かれてしまうおそれを確実に回避することができる。
【００４８】
なお、プレッシャープレート押し下げ用スプリング２５は、ワイヤ１０毎に設けることができるので、ワイヤ１０の本数にかかわらず同じスプリングを使用することができる。この結果、部品の共有化を図ることができる。
【００４９】
また、ワイヤジャッキング装置の大型化によりワイヤ１０の本数が増加した場合には、それに伴ってプレッシャープレート２も大型化するので、プレッシャープレート２に撓みが生じ、プレッシャープレート２の中央部と外周部とでのワイヤグリップ押し込み用スプリング１４の縮み量のばらつきによりワイヤグリップ７の押し込み力が不均一になる。なお、プレッシャープレート２の撓みは、クランピングシリンダ６の操作によりある程度、矯正することはできるが限度がある。
【００５０】
しかしながら、プレッシャープレート押し下げ用スプリング２５を設けて、プレッシャープレート２に押し下げ力を作用させることによって、プレッシャープレート２の大型化に伴い生じる撓みを大幅に軽減することができ、この結果、ワイヤグリップ押し込み用スプリング１４によるワイヤグリップ７の押し込み力を均一に維持することができる。
【符号の説明】
【００５１】
１：ワイヤグリッピング装置
１ａ：上部ワイヤグリッピング装置
１ｂ：下部ワイヤグリッピング装置
２：プレッシャープレート
３：アンカーブロック
４：リリースプレート
５：アンカーベースプレート
６：クランピングシリンダ
７：ワイヤグリップ
８：連結棒
９： スペーサブロック
１０：ワイヤ
１１：シリンダ
１２：ピストン
１３：クランピングシリンダ用スプリング
１４：ワイヤグリップ押し込み用スプリング
１５：油圧ジャッキ
１６：Ｏリング
１７：スプリング座
２０：ピストン
２１：シリンダ
２２：重量物
２３：ワイヤガイド
２４：支柱
２５：プレッシャープレート押し下げ用スプリング
【図１】
0005628550.tif 000002
【図２】
0005628550.tif 000003
【図３】
0005628550.tif 000004
【図４】
0005628550.tif 000005
【図５】
0005628550.tif 000006
【図６】
0005628550.tif 000007
【図７】
0005628550.tif 000008
【図８】
0005628550.tif 000009
【図９】
0005628550.tif 000010